(57)【要約】【課題】折曲片が折り曲げにくく、折り曲げる際に手間がかかるという問題を解決すること。【解決手段】組み立て式箱用の用紙であって、組み立てられることで箱の一面を形成する平板部と、当該平板部に対して折り曲げることで前記箱の側壁を形成する複数の側壁部と、を備え、前記複数の側壁部のうち、前記平板部に対して折り曲げられた際に前記側壁部の側辺が相互に隣接する一対の前記側壁部は、当該一対の側壁部の隣接する各側辺よりそれぞれ延出し、当該隣接する側壁部の各側辺同士を連結する折込部を備え、前記折込部は、当該折込部で連結される前記一対の隣接側壁部と前記平板部との交点から、各側辺の間に向かって広がる切除部、を備える。【選択図】図１
2014234205.tif 000002
【特許請求の範囲】
【請求項１】
組み立て式箱用の用紙であって、
組み立てられることで箱の一面を形成する平面部と、
当該平面部の周囲から延出し、当該平面部に対して折り曲げることで前記箱の側壁を形成する複数の側壁部と、を備え、
前記複数の側壁部のうち、前記平面部に対して折り曲げた状態において前記側壁部の側辺が相互に隣接する一対の前記側壁部は、当該一対の側壁部の隣接する各側辺よりそれぞれ延出し、当該隣接する側壁部の各側辺同士を連結する折込部を備え、
前記折込部は、当該折込部で連結される前記隣接する一対の側壁部と前記平面部との交点から、前記隣接する一対の側壁部の各側辺の間に向かって広がる切除部、を備える、
組み立て式箱用の用紙。
【請求項２】
請求項１に記載の組み立て式箱用の用紙であって、
前記切除部は、前記折込部のうち、前記組み立て式箱を組み立てる際に折り曲げられる折り曲げ線の延長を含むよう形成される、
組み立て式箱用の用紙。
【請求項３】
請求項２に記載の組み立て式箱用の用紙であって、
前記切除部は、当該切除部の周囲の一部が、前記隣接する一対の側壁部の側辺上に位置するよう形成される、
組み立て式箱用の用紙。
【請求項４】
請求項３に記載の組み立て式箱用の用紙であって、
前記切除部は、当該切除部の周囲の辺を構成する一組の辺が交わる交点を、前記隣接する一対の側壁部の各側辺の間に備え、
前記切除部の周囲の一組の辺が交わる交点は、前記組み立て式箱を組み立てる際に折り曲げられる箇所上に形成されている、
組み立て式箱用の用紙。
【請求項５】
請求項１乃至４に記載の組み立て式箱用の用紙であって、
前記切除部は、四角形に形成されており、
前記四角形は、当該四角形を構成する４辺のうちの２辺が前記隣接する一対の側壁部の側辺上に位置する、
組み立て式箱用の用紙。
【請求項６】
請求項１乃至５に記載の組み立て式箱用の用紙であって、
前記折込部は、
前記折込部のうち前記組み立て式箱を組み立てる際に折り曲げられることになる箇所に位置する前記折込部の外縁から、前記切除部方向に向かって凹む凹部を設けた、
組み立て式箱用の用紙。
【請求項７】
請求項６に記載の組み立て式箱用の用紙であって、
前記凹部は、当該凹部の周囲の辺を構成する一組の辺が交わる凹部交点を、前記隣接する一対の側壁部の各側辺の間に備え、
前記凹部交点は、前記組み立て式箱を組み立てる際に折り曲げられる箇所上に形成されている、
組み立て式箱用の用紙。
【請求項８】
請求項１乃至７に記載の組み立て式箱用の用紙であって、
前記折込部に形成されている、前記組み立て式箱を組み立てる際に折り曲げられる箇所は、
前記切除部の周囲から前記折込部の外縁までの長さが最も短くなるよう設けられた、
組み立て式箱用の用紙。
【請求項９】
請求項１乃至８に記載の組み立て式箱用の用紙であって、
前記組み立て式箱用の用紙を組み立てて組み立て式箱を組み立てる際に、当該組み立て式箱用の用紙のうち折り曲げられることになる部分に折り目を設け、
前記折り目のうち前記折込部に設けられる折り目は、破線状の切込みを設けることで形成し、
前記折込部に設けられる折り目以外の折り目は、当該折り目部分の厚さを、当該折り目以外の部分の用紙の厚さより薄くすることで形成した、
組み立て式箱用の用紙。
【請求項１０】
請求項９に記載の組み立て式箱用の用紙であって、
前記折り目のうち、前記組み立て式箱を組み立てる際に谷折りをする折り目は、一方向から押圧することで、前記谷折りをする際に内側になる箇所に凹部を設けて形成し、
前記折り目のうち、前記組み立て式箱を組み立てる際に山折りをする折り目は、破線状の切込みを設けて形成した、
組み立て式箱用の用紙。
【請求項１１】
請求項１乃至１０に記載の組み立て式箱用の用紙であって、
前記平面部上に位置し、前記組み立て式箱を組み立てる際に折り曲げられる箇所に隣接する箇所に、前記側壁部を折り曲げて組み立てる際に当該側壁部の折り曲げを支持するガイドピンを挿入する挿入用の穴を設けた、
組み立て式箱用の用紙。
【請求項１２】
請求項１乃至１１に記載の組み立て式箱用の用紙を、
前記組み立て式箱を組み立てる際に折り曲げられることになる箇所に応じて折り曲げることで、前記組み立て式箱用の用紙を組み立てた、
組み立て式箱。
【請求項１３】
組み立て式箱用の用紙であって、
組み立てられることで箱の一面を形成する平面部と、
当該平面部の周囲から延出し、当該平面部に対して折り曲げることで前記箱の側壁を形成する複数の側壁部と、を備え、
前記複数の側壁部のうち、前記平面部に対して折り曲げられた際に前記側壁部の側辺が相互に隣接する一対の前記側壁部は、当該一対の側壁部の隣接する各側辺よりそれぞれ延出し、当該隣接する側壁部の各側辺同士を連結する折込部を備え、
前記折込部は、当該折込部で連結される前記隣接する一対の側壁部と前記平面部との交点から、前記隣接する一対の側壁部の各側辺の間に向かって広がる切除部、を備え、
前記組み立て式箱用の用紙を組み立てて組み立て式箱を組み立てる際に、当該組み立て式箱用の用紙のうち折り曲げられることになる部分に折り目を設け、
前記折り目のうち前記折込部に設けられる折り目は、破線状の切込みを設けることで形成し、
前記折込部に設けられる折り目以外の折り目は、当該折り目部分の厚さを、当該折り目以外の部分の用紙の厚さより薄くすることで形成した、
組み立て式箱用の用紙。
【請求項１４】
組み立て式箱用の用紙であって、
組み立てられることで箱の一面を形成する平面部と、
当該平面部の周囲から延出し、当該平面部に対して折り曲げることで前記箱の側壁を形成する複数の側壁部と、を備え、
前記複数の側壁部のうち、前記平面部に対して折り曲げられた際に前記側壁部の側辺が相互に隣接する一対の前記側壁部は、当該一対の側壁部の隣接する各側辺よりそれぞれ延出し、当該隣接する側壁部の各側辺同士を連結する折込部を備え、
前記折込部は、当該折込部で連結される前記隣接する一対の側壁部と前記平面部との交点から、前記隣接する一対の側壁部の各側辺の間に向かって広がる切除部、を備え、
前記平面部上に位置し、前記組み立て式箱を組み立てる際に折り曲げられる箇所に隣接する箇所に、前記側壁部を折り曲げて組み立てる際に当該側壁部の折り曲げを支持するガイドピンを挿入する挿入用の穴を設けた、
組み立て式箱用の用紙。
【発明の詳細な説明】
【技術分野】
【０００１】
本発明は、組み立て式箱用の用紙及び組み立て式箱に係り、特に組立前の用紙形状に特徴を有する組み立て式箱に関する。
【背景技術】
【０００２】
物を運搬や収納する際に、箱状のものを利用して物の運搬などを行うことは一般的である。例えば、利便性などの観点から、段ボールシートを組み立てた段ボールトレイを用いて物の運搬などをすることは広く行われている。
【０００３】
上述した段ボールシートは、軽さと強度に優れ、その構造上衝撃吸収性も備えている、梱包材の素材として優れた特性を持つ素材である。そのため、段ボールシートを組み立てた段ボールトレイも、梱包材として望ましい特性を備えていると考えられる。しかしながら、ただ単に段ボールシートを箱状の段ボールトレイに組み立てた場合、その組み立て方によっては、段ボールシートの優れた性質が十分に発揮されず、梱包材としての強度が不足してしまうことがある。上述した問題を回避するためには、段ボールシートを組み立てて段ボールトレイとして使用する際には、梱包材として十分な強度が発揮されるよう段ボールシートを組み立てる必要がある。
【０００４】
また、段ボールシートは上述した特性の他に加工しやすいという特徴も持つ。そのため、段ボールシートは様々に加工され、ただ単に梱包材としての強度を高めるだけでなく、段ボールトレイを使用する目的によってさまざまな特徴を持つように組み立てられている。
【０００５】
例えば、精密機器の運搬等に段ボールトレイを用いる場合には、運搬時の衝撃による破損などのリスクを出来る限り減らすため、より高い衝撃吸収性を備える段ボールトレイを用いることが期待される。上述した期待に応えるため、精密機器の運搬等に段ボールトレイを用いる場合には、段ボールトレイの内容物である精密機器の保護の確実性を高め、当該精密機器を安全に運搬するために、段ボールトレイの側壁を内側壁と外側壁との二重構造にするといったことが行われている。
【０００６】
そして、段ボールトレイの側壁を２重構造にする際には、段ボールトレイとしての強度を高めるため、相互に隣接する各側壁の側辺から伸びる折込片で各側壁を連結し、当該折込片を内側壁と外側壁との間に挟み込むことで、段ボールトレイの側壁を底面に対して直立させたまま保持可能にするといった方法がよく行われている。例えば特許文献１の図面１によると、隣接する端壁３と外側板４とからそれぞれ延出する、内折片７と、折返辺８とを、隅折線９を介して繋ぎ（折込片、折込部）、内折片７と折返片８とを隅折線９沿いに谷折りしつつ重ねあわせ、それを内側板６（内側壁）と外側板４（外側壁）とで挟み込んだ段ボールトレイが開示されている。
【０００７】
このように、隣接する側壁を折込片によって連結し、当該折込片を内側壁と外側壁との間に挟み込むことによって、段ボールトレイの側壁を直立させたまま保持するというやり方は、例えば段ボールトレイの直立する側壁の一つを倒そうとする力が加わった場合に、当該直立する側壁を倒そうとする力は隣接する他の側壁に分散することになる。そのため、段ボールトレイの梱包材としての強度の向上にも役立っている。
【先行技術文献】
【特許文献】
【０００８】
【特許文献１】特開２００８−１１４９０９号公報
【発明の概要】
【発明が解決しようとする課題】
【０００９】
しかしながら、特許文献１に記載の形状では、折込片を折り曲げる際に、当該折込片の角となる部分を折り曲げるために、より強い力を必要とすることになる。具体的には、折込片のうち当該折込片と接する各外側壁部の側辺が直交する箇所、つまり、組み立てた際に底面側になる角は、当該折込片を折り曲げた際に密接することになるため、折り曲げにくくなる。また、折り曲げる際に力が必要になる。そのため、折込片を折り曲げる際に手間がかかることになり、適切な形状に仕上げることが困難になる。
【００１０】
以上のように、側壁を２重構造にし、折込片を備える段ボールトレイには、折込片が折り曲げにくく、折り曲げる際に手間がかかるため、段ボールトレイを組み立てることが困難になる、という問題が生じていた。
【００１１】
そこで、本発明の目的は、上述した課題である、折込片が折り曲げにくく、折り曲げる際に手間がかかるため、組み立て式箱用の用紙を組み立て式箱に組み立てるのが困難になる、という問題を解決することにある。
【課題を解決するための手段】
【００１２】
かかる目的を達成するため本発明の一形態である組み立て式箱用の用紙は、
組み立てられることで箱の一面を形成する平面部と、
当該平面部の周囲から延出し、当該平面部に対して折り曲げることで前記箱の側壁を形成する複数の側壁部と、を備え、
前記複数の側壁部のうち、前記平面部に対して折り曲げられた際に前記側壁部の側辺が相互に隣接する一対の前記側壁部は、当該一対の側壁部の隣接する各側辺よりそれぞれ延出し、当該隣接する側壁部の各側辺同士を連結する折込部を備え、
前記折込部は、当該折込部で連結される前記隣接する一対の側壁部と前記平面部との交点から、前記隣接する一対の側壁部の各側辺の間に向かって広がる切除部、を備える、
という構成を採る。
【００１３】
また、本発明の他の形態である組み立て式箱は、
組み立て式箱用の用紙を、
組み立て式箱を組み立てる際に折り曲げられることになる箇所に応じて折り曲げることで、前記組み立て式箱用の用紙を組み立てた、
という構成を採る。
【発明の効果】
【００１４】
本発明は、以上のように構成されることにより、折込片を折り曲げやすくなり、効率的に段ボールトレイを組み立てることが可能となる。
【図面の簡単な説明】
【００１５】
【図１】本発明の第一の実施形態における組み立て式箱用の用紙の大まかな構成を示す平面図である。
【図２】第一の実施形態における組み立て式箱用の用紙の具体的な構成を示す平面図である。
【図３】第一の実施形態における組み立て式箱用の用紙の折り目を示す平面図である。
【図４】第一の実施形態における組み立て式箱用の用紙の組み立てる際の側壁の構成の一例を示す斜視図である。
【図５】第一の実施形態における折込部の一例を示す図である。
【図６】第一の実施形態における折込部の一例を示す図である。
【図７】第一の実施形態における折込部の一例を示す図である。
【図８】第一の実施形態における組み立て途中の構成を示す斜視図である。
【図９】第一の実施形態における組み立て途中の構成を示す斜視図である。
【図１０】第一の実施形態における組み立て式箱を組み立てた際の構成を示す斜視図である。
【図１１】第二の実施形態における組み立て式箱用の用紙の具体的な構成を示す平面図である。
【図１２】（ａ）（ｂ）第二の実施形態における組み立て途中の構成を示す斜視図である。
【発明を実施するための形態】
【００１６】
＜実施形態１＞
本発明の第一の実施形態を、図１乃至図１０を用いて説明する。
【００１７】
（構成）
本実施形態における段ボールシート（組み立て式箱用の用紙）は、一枚の段ボールシートを切り出すことにより構成される。そして、当該段ボールシートを組み立てることで、２重構造の側壁を持つ段ボールトレイ（組み立て式箱）を組み立てることが可能である。
【００１８】
まず、本実施形態における段ボールシートの大まかな構成について説明する。
【００１９】
本実施形態の段ボールシートは、図１で示すように、底面部１（平面部）と、側壁部２，３，４，５と、仕切り部６０と、折込部７１，７２，７３，７４と、により構成される。ここで、側壁部２は、図２で示すように、外側壁部２１と、天頂部２２と、内側壁部２３と、により構成される。また、側壁部３は、外側壁部３１と、天頂部３２と、内側壁部３３と、により構成される。そして、側壁部４は側壁部２と同様に、側壁部５は側壁部３と同様に、それぞれ、外壁部４１，５１と、天頂部４２，５２と、内壁部４３，５３と、により構成される。
【００２０】
また、折込部７１は、後述するように、切除部８１及び外側切除部８５により、一定の範囲が切除されている。折込部７２，７３，７４も同様に、切除部８２，８３，８４及び外側切除部８６，８７，８８により、一定範囲切除されている。
【００２１】
本実施形態における段ボールシートには、図３で示すように、本実施形態の段ボールシートを後述する段ボールトレイに組み立てる際に折り曲げることになる部分に、予め折り目１０１〜１０４，１１１〜１１４，１２１〜１２４，２０１〜２０８，２１１〜２１４，３０１〜３０４，３１１〜３１３が設けられている。当該折り目を設けることで、段ボールシートから段ボールトレイを形成する際に折り曲げる必要がある部分を、折り曲げやすくする。その結果、効率的に段ボールシートを折り曲げることが可能になり、段ボールトレイの効率的な組立が可能になる。ただし、必ずしも、本発明の実施には折り目が設けられている必要はない。折り目の無い段ボールシートを用いて、段ボールトレイを組み立てても構わない。
【００２２】
上述した通り、本実施形態は、一枚の段ボールシートを折り曲げることで段ボールトレイを組み立てる。また、折り曲げられることになる各部分には、折り目が予め設けられている。つまり、具体的には、図３で示すように、底面部１と外側壁部２１の境には、折り目１０１が設けられており、底面部１と外側壁部３１との境には、折り目１０２が設けられている。同様に、底面部１と外側壁部４１との境には、折り目１０３が設けられており、底面部１と外側壁部５１との境には、折り目１０４が設けられている。また、天頂部２２と、外側壁部２１、内側壁部２３との境にはそれぞれ、折り目１１１及び１２１が設けられており、天頂部３２と、外壁部３１、内側壁部３３との境にはそれぞれ、折り目１１２及び１２２が設けられている。同様に、天頂部４２と、外側壁部４１、内側壁部４３との境にはそれぞれ、折り目１１３及び１２３が設けられており、天頂部５２と、外壁部５１、内側壁部５３との境には、折り目１１４及び１２４が設けられている。
【００２３】
また折込部７１と外側壁部２１との境には、折り目２０１が設けられており、外側壁部３１との境には折り目２０２が設けられている。同様に、折込部７２と外側壁部３１、４１との境には、それぞれ折り目２０３、２０４が設けられており、折込部７３と、外側壁部４１、５１との境にはそれぞれ、折り目２０５，２０６が設けられている。そして、折込部７４と外側壁部５１，２１との境にはそれぞれ、折り目２０７，２０８が設けられている。
【００２４】
また、内側壁部３３と係止片３４，３５の境にはそれぞれ折り目３０１，３０２が設けられており、内側壁部５３と係止片５４，５５の境にはそれぞれ折り目３０３，３０４が設けられている。そして、内側壁部２３と仕切り部６０との境には、折り目３１１が設けられており、仕切り部６０には折り目３１２，３１３が設けられている。上述したように折り目を設けることで、本実施形態の段ボールシートを効率的に段ボールトレイに組み立てることが可能になる。
【００２５】
ここで、本実施形態においては、段ボールシートを折り曲げて段ボールトレイを組み立てる際に山折りにする折り目と谷折りにする折り目とで、異なる方法を用いて上述した折り目を形成する。
【００２６】
例えば、上述した折り目のうち段ボールシートを段ボールトレイに組み立てる際に谷折りする折り目については、刃先をつぶした刃を一方向から押しつけることにより形成する。つまり、刃先を押し付ける高さを、段ボールシートを切断せず、当該段ボールシートの厚さを薄くする程度の高さになるよう調整して、刃先をつぶした刃を押し付けることで、段ボールシートに折り目を形成する。当該高さに調整して刃先をつぶした刃を押し付けることにより、刃先をつぶした刃を押し付けられた部分は、当該刃を押し付けられていない部分よりも薄くなり、段ボールシートの厚さに差が出来ることになる。その結果、段ボールシートの薄い部分で、当該段ボールシートを谷折りの方向へ折り曲げることが容易になる。
【００２７】
また、上述した折り目のうち段ボールシートを段ボールトレイに組み立てる際に山折りする折り目については、上述した刃先をつぶした刃を押し付けた方向と同一の方向から、刃先をつぶさずに刃を押し付けることで形成する。つまり、刃先をつぶさない刃を押し付けることで、一定の間隔で形成される破線状の切込みを設けて折り目を形成する。これは、刃先をつぶした刃を一方向から押しつけることにより折り目を設けた場合、谷折りをする場合には十分に折り曲げやすくなるが、山折りをする場合にはあまり折り曲げやすくならないため、山折りを補助するための折り目としては不十分だからである。そこで、上述した刃先をつぶした刃を押し付けた方向と同一の方向から刃先をつぶさずに刃を押し付けることで、破線状の切込みを設けて折り目とする。上述した方法で山折りする部分に折り目を設けることで、段ボールシートを山折りの方向へ折り曲げることが容易になる。
【００２８】
本実施形態において具体的には、図３で示す折り目のうち、各折込片に設けられる折り目２１１，２１２，２１３，２１４及び各係止片と各内側壁部との間の折り目３０１，３０２，３０３，３０４、仕切り部６０の折り目３１１，３１２は、段ボールシートを段ボールトレイに組み立てる際に山折りをする折り目である。そのため、一定の間隔で破線状の切込みを入れることで折り目を形成する。一方それ以外の折り目は、段ボールシートを段ボールトレイに組み立てる際に谷折りをする折り目である。そのため、刃先をつぶした刃を一方向から押しつけることにより形成する。上述したように２つの方法で折り目を設けることで、山折りを補助するのに適した折り目も谷折りを補助するのに適した折り目も、同一の方向から形成できるようになる。
【００２９】
なお、上述したように、本発明の実施には必ずしも折り目を設ける必要はないが、仮に折り目を設けるとした場合でも、当該折り目を設ける方法は上述した方法に限定されない。例えば、実際に一度折り曲げることで、段ボールシートに折り目を形成しても構わない。何らかの手段により、段ボールシートを折り曲げやすくする折り目を形成できればよい。また、山折りをする折り目と谷折りをする折り目とで、その折り目を形成する方法を必ずしも分けなくても構わない。
【００３０】
次に、本実施形態における段ボールシートの具体的な構成を、図２及び図３を用いて説明する。上述したように、本実施形態は、一枚の段ボールシートを折り曲げることで段ボールトレイを組み立てる。そのため、後述する段ボールトレイの具体的な構成のそれぞれは、１枚の段ボールトレイに形成される各折り目を境にして構成されている。
【００３１】
底面部１（平面部）は、段ボールシートを組み立てることで、段ボールトレイの底面を形成する部分である。底面部１は、本実施形態では長方形をしている。つまり、底面部１は、互いに直交する二辺の長辺（折り目１０１，１０３）と二辺の短辺（折り目１０２，１０４）とから構成されている。また、後述するように、側壁部２，３，４，５は、長方形を構成する底面部１の四辺からそれぞれ、各一辺と直交する二辺を、当該各一辺の属する側に延長する方向に向かって延出し、当該底面部１に対して谷折りに折り曲げることで段ボールトレイの側壁を形成する部分である。そのため、底面部１は、当該長方形を構成する４辺において、後述する側壁部２，３，４，５と隣接する。なお、本実施形態では底面部１としたが、必ずしも底面になるわけではなく、天板として機能することもある。その場合は、底面部１は、天板部として構成されることになり、各側壁部は、当該天板部に対して山折りに折り曲げられることで段ボールトレイの側壁を形成することになる。また、その形状は長方形に限定されない。正方形でも構わないし、四角形でなくても構わない。
【００３２】
側壁部２は、上述した底面部１に対して当該側壁部２を谷折りに折り曲げることで、段ボールトレイを組み立てた際に当該段ボールトレイの側壁になる部分である。具体的には、図１で示すように、側壁部２は、長方形である底面部１の長辺の一つ（折り目１０１）が、当該底面部１の折り目１０１と直交する２辺である１０２，１０４を、当該折り目１０１の属する側に延長する方向に向かって（折り目１０１から見て、折り目１０３が属する側とは反対方向に向かって）延出している。そして、側壁部２を底面部１に対して直角に谷折りで折り曲げることで段ボールトレイの側壁を形成する。図２で示すように、本実施形態において側壁部２は、外側壁部２１と、天頂部２２と、内側壁部２３と、により構成され、上述した順番で、底面部１に連接している。また、側壁部３は、側壁部２と同様に、底面部１に対して直角に折り曲げることで段ボールトレイの側壁を形成部分である。図２で示すように、長方形である底面部１の短辺の一つより延出している。そして、側壁部３も、外側壁部３１と、天頂部３２と、内側壁部３３とにより構成され、上述した順番で底面部１に連接している。また、側壁部４は長方形である底面部１のもう一つの長辺より延出しており、側壁部５は、長方形である底面部１のもう一つの短辺より延出している。そして、その構成は、側壁部２，３と同様である。
【００３３】
具体的には、図３で示すように、本実施形態の段ボールトレイの備える２重構造の側壁（外側壁と内側壁）のうちの一つは、側壁部３を２度折り曲げることにより形成するが、その際に折り曲げられることになる２つの折り目を境にして、上述した外側壁部３１と、天頂部３２と、内側壁部３３と、が構成されている。つまり、図２で示すように、側壁部３のうち、上述した２つの折り目（折り目１１２、１２２）を境にして、底面部１に近い部分が、組み立てた際に２重構造の側壁のうちの外側壁となる、外側壁部３１となる。そして、真ん中の部分（折り目１１２と折り目１２２の間の部分）が天頂部３２となり、底面部１から最も離れている部分が、組み立てた際に２重構造の側壁のうちの内側壁となる、内側壁部３３となる。側壁部２，４，５も同様の順番で同様に、それぞれ外側壁部２１，４，５１と、天頂部２２，４２，５２と、内側壁部２３，４３，５３と、を備えて構成されている。なお、側壁部５には、段ボールトレイを組み立てた際に指掛け用の凹部ができるよう穴が設けられている。つまり、外側壁部５１及び内側壁部５３のうち天頂部５２と接する辺の中央部分には、同じ半径の半円状の穴がそれぞれ外側壁部５１、内側壁部５３内の側に向かって凹むよう設けられており、天頂部５２には、それぞれ外側壁部５１、内側壁部５３に設けられた半円状の穴を結ぶように穴が設けられている。なお、本発明の実施には、上述した側壁部５に設けられる穴は必須ではないし、また、他の側壁部、例えば側壁部３に設けられていても構わない。
【００３４】
外側壁部２１は、上述したように、段ボールトレイを形成した際に、２重構造の側壁のうちの外側壁に該当することになる部分である。本実施形態では長方形の形状をしており、当該長方形の形状を構成する四辺のうちの長辺の一つを、同様に長方形の形状である底面部１、を構成する四辺のうちの長辺の一つと、共有している（折り目１０１）。外側壁部３１，４１，５１も同様に長方形の形状をしている。そして、外側壁部３１は、当該外側壁部３１（長方形）を構成する四辺のうちの長辺の一つを、同様に長方形の形状である底面部１、を構成する四辺のうちの短辺の一つと、共有している（折り目１０２）。同様に、外側壁部４１と底面部１とは、お互いに長辺の一つを共有しており（折り目１０３）、外側壁部５１と底面部１とは、外側壁部５１を構成する長辺の一つと底面部１を構成する短辺の一つを、共有している（折り目１０４）。なお、本実施形態においては、段ボールトレイを構成する各側壁の高さの観点から、上述したように長辺同士、または長辺と短辺を共有するとした。しかしながら、本発明の実施は必ずしも上記場合に限定されない。例えば、各側壁の高さが非常に高い段ボールトレイを形成する場合には、外側壁部２１，４１の短辺と底面部１の長辺を共有し、外側壁部３１，５１の短辺と底面部１の短辺とを共有することになる。また、底面部１が正方形であり各外側壁部も正方形である場合など、長辺と短辺の別なくそれぞれがそれぞれを構成する一辺において互いに共有するという場合であっても構わない。
【００３５】
また、後述する折込部７１とは、外側壁部２１のうち底面部１とも天頂部２２とも接しない辺である側辺のうち、外側壁部２１及び外側壁部３１を底面部１に対して折り曲げた際に、外側壁部３１の側辺と相互に隣接することになる側辺（折り目２０１）と、上述した外側壁部２１の側辺と上述したように相互に隣接することになる外側壁部３１の側辺（折り目２０２）と、よりそれぞれ各側辺と直交する２辺（折り目１０１，１１１と、折り目１０２，１１２）を、当該各側辺の属する側に延長する方向に向かって延出し、当該隣接する側辺同士を連結する部分のことをいう。折込部７２，７３，７４も同様に設けられている部分である。そのため、外側壁部２１は、底面部１と、天頂部２２と、折込部７１，７４と、接していることになる。外側壁部３１，４１，５１も同様の構成となる。つまり、外側壁部３１は、底面部１と、天頂部３２と、折込部７１，７２と接しており、外側壁部４１は、底面部１と、天頂部４２と、折込部７２，７３と接している。また、外側壁部５１は、底面部１と、天頂部５２と、折込部７３，７４と接している。
【００３６】
天頂部２２は、段ボールトレイを形成した際に、２受構造の外側壁と内側壁との間の、２重構造の側壁の厚さとなる部分であり、長方形の形状をしている。当該部分を設けることで、外側壁と内側壁との間に空間が確保されることになる。なお、本実施形態においては、平面部を底面部１としたため天頂部となるが、平面部を天板部として用いる場合には、天頂部２２は段ボールトレイの底面を形成することとなる。
【００３７】
上述したように外側壁と内側壁との間に空間を設けることで、当該空間により段ボールトレイにかかる衝撃が吸収されるようになる。そのため、天頂部を設けて外側壁と内側壁との間に空間を設けることで、段ボールトレイの衝撃吸収性をより高めることが可能となる。
【００３８】
ここで、天頂部２２，３２，４２，５２の底面部１に対する高さは、どれも同じ高さになるように外側壁部２１，３１，４１，５１の高さを構成する。そのため、天頂部２２，３２，４２，５２の各側壁の厚さ方向ではない長さを、外側壁部２１，３１，４１，５１のそれぞれ対応する長さと同一にすると、天頂部がお互いに交差する部分で２重に天頂部が存在することになる。その結果、交差する天頂部同士が干渉することになるため、段ボールトレイを組み立てる際に邪魔になり、段ボールトレイを組み立てにくくする。（例えば、折り目１１１の長さと折り目１０１の長さを同一にし、折り目１１２の長さと折り目１０２の長さを同一にするとする。そうすると、当該段ボールトレイを組み立てる際には、折り目２０１と２０２とが隣接することになるため、天頂部２２，３２のうち折り目７１側の部分に干渉する部分が出来ることになる）そこで、本実施形態においては、天頂部２２，３２，４２，５２のうち天頂部３２，５２の側壁の厚さ方向ではない長さを、天頂部２２、４２の各側壁の厚さ分短くする。具体的には、天頂部２２と天頂部３２の各側壁の厚さ方向ではない長さのうち、干渉する部分の分天頂部３２の長さを短くする。つまり、天頂部２２の厚さ分、天頂部３２の側壁の厚さ方向ではない長さは短くなることになる。同様のことを、天頂部３２と天頂部４２との干渉部分、天頂部４２と天頂部５２との干渉部分、天頂部５２と天頂部２２との干渉部分で行う。
【００３９】
なお、本実施形態においては上述したように天頂部を設けたが、本発明は、その実施に必ずしも天頂部を必要としない。天頂部を設けて各側壁に厚さを設けなくても実施可能である。例えば、側壁を外側壁と内側壁とのみで構成し、当該外側壁と内側壁で折込片を挟み込む形で実施しても構わない。また、本実施形態では、天頂部３２と天頂部５２の各側壁の厚さ方向ではない長さが、天頂部２２、天頂部４２の厚さ分短くなるとした。しかし、本発明は上述した場合に限定されず、例えば、天頂部２２と天頂部４２の各側壁の厚さ方向ではない長さを、天頂部３２，天頂部５２の厚さ分短くしてもよいし、すべての長さを同一にしても構わない。
【００４０】
内側壁部２３は、段ボールトレイを形成した際に２重構造の側壁のうちの内側壁に該当することになる部分であり、外側壁部２１、天頂部２２と同様に長方形の形状をしている。内側壁部２３もまた、段ボールトレイを組み立てた際に、当該段ボールトレイの高さ方向ではない長さを外側壁部２１の対応する長さと同一にすると（折り目１２１の長さと、折り目１０１の長さ）、直交する内側壁部３３、５３とそれぞれ互いに干渉するという問題がある。また、後述するように、本発明は、係止片とロック片とで、内側に折り込んだ内側壁部をロックして保持することが可能なように構成する。そこで、内側壁部２３は、対応する側壁の厚さ分、段ボールトレイの高さ方向ではない長さを短くしている（折り目１２１の長さの方が折り目１０１の長さより短くなる）。具体的には、内側壁部２３は、側壁部３と干渉する部分については、天頂部３２の厚さ分短く構成されており、側壁部５と干渉する部分については、天頂部５２の厚さ分短く構成されている。同様に、内側壁部３３，４３，５３も、それぞれの分その長さは短く構成されている。なお、内側壁部４３には、一度形成した段ボールトレイを解体しやすくするために、段ボールトレイを形成した際に内側壁部４３のうち底面部１と接することになる辺に、指掛け用の凹み部を設けている。
【００４１】
また、内側壁部３３には、係止片３４，３５が設けられており、内側壁部５３には、係止片５４，５５が設けられている。そして、内側壁部２３にはロック片２４，２５が設けられており、内側壁部４３には、ロック片４４，４５が設けられている。
【００４２】
係止片３４、３５は、内側壁部３３を構成する四辺のうち、天頂部３２との境である折り目１２２による一辺とそれぞれ直交する各側辺（折り目３０１，３０２）にそれぞれ設けられている。係止片３４，３５は、上述した各側辺から各側辺と直交する２辺（折り目３０１と折り目３０２）を、当該各側辺の属する側に延長する方向に向かって延出するように設けられており、その外縁部のうち角となる部分には丸みが付けられている。
【００４３】
また、後述するように、段ボールトレイを組み立てる際には、上述したロック片を上述した係止片と底面部１との間に設けられた隙間に差し込むことで、内側壁部２３及び４３をロックして、内側壁部２３及び４３を箱内で固定することになる。そのため、係止片３４、３５は、段ボールトレイを組み立てた際に、係止片３４，３５と係止片３４、３５を備える内側壁部３３及び底面部１との間に隙間が出来るように、段ボールトレイを組み立てた際に底面部１側となる部分であって、係止片３４と当該係止片３４を備える内側壁部３３の間の部分、係止片３５と当該係止片３５を備える内側壁部３３の間の部分、にそれぞれ切り込みを設けている。係止片５４，５５も同様に設けられている。
【００４４】
各ロック片もまた、段ボールトレイを組み立てる際に、各係止片と底面部１との間に設けられた隙間に差し込むことができるように設けられる。つまり、側壁部２、４を折り曲げて内側壁を形成した際に、各内側壁部２３，４３となる部分の側辺のうち、各係止片と底面部１との間に設けられた隙間に差し込むことができる位置（各係止片と当該各係止片を備える各内側壁部の間の切り込みに対応する位置）にそれぞれロック片は設けられている。本実施形態においては、底面部１に接することになる位置にそれぞれのロック片は設けられることになる。
【００４５】
その形状は小さな凸部である長方形であり、各内側壁部と各内側壁部が備える２つのロック片の長さを足した長さ（本実施形態においては、各内側壁部を構成する長方形の長辺となる方向）は、各天頂部の厚さ方向でない長さよりも短くなるよう構成されている。上述したように、内側壁部２３は、段ボールトレイを組み立てた際に側壁部３と干渉する部分については、天頂部３２の厚さ分短く構成されており、側壁部５と干渉する部分については、天頂部５２の厚さ分短く構成されている。そのため、段ボールトレイを組み立てる際には、内側壁部２３と直交することになる側壁部３，５と、各ロック片の部分を除いて、干渉することなく内側壁部２３を立てることができる。そして、各ロック片は上述したように隙間に差し込まれるため、内側壁部２３はどこかと干渉することなく起こした状態で保持することが可能になる。
【００４６】
ここで、内側壁部３３及び５３の箱内での固定は、後述する各折込部を内側壁部２１，４１と対応する外側壁部２３，４３とで挟み込む際に、内側壁部３３及び５３に設けられた係止片も一緒に挟み込むことで行われる。また、内側壁部２３及び４３の箱内での固定は、上述したように、ロック片を係止片と底面部１との間に設けられた隙間に差し込むことで行われる。
【００４７】
上述したように各折込部及び各係止片を挟み込むことにより内側壁部３３及び５３を箱内で固定することで、内側壁部３３，５３を強固に箱内で固定する事が可能になる。また上述したように、各折込片及び係止片を挟み込む内側壁部２１，４１と対応する外側壁部２３，４３とは、内側壁部２３，４３が備える各ロック片をそれぞれ対応する係止片と底面部１との間に設けられた隙間に差し込むことで固定されることになる。これにより、各側壁を直立させたまま保持することが可能になる。
【００４８】
仕切り部６０は、内側壁部２３を構成する四辺のうち、天頂部２２と接せずロック片２４，２５も設けられていない一辺の一部（折り目３１１）より延出する部分であり、長方形の形状をしている。仕切り部６０は、段ボールトレイを組み立てた際に箱内部で折り曲げることで、箱内部の空間を仕切る役割を持つ。そのため、仕切り部６０を用いることで、段ボールトレイを組み立てた際に、細かい小物等を収納するための小さな空間を形成することが可能になる。なお、仕切り部６０は上述したように、箱内部小物を収納するための空間を形成するために用いられる部分である。そのため、本発明の実施に必須の構成ではない。仕切り部６０は無くても構わないし、必ずしも本実施形態のように構成される必要もない。
【００４９】
次に、折込部７１，７２，７３，７４及び切除部８１，８２，８３，８４、外側切除部８５，８６，８７，８８について図５〜図７を用いて説明する。なお、本実施形態においては、各外側切除部を設けることで、各折込部の外縁部にそれぞれ凹部を形成する。
【００５０】
折込部７１は、図５で示すように、外側壁部２１のうち底面部１及び天頂部２２と接しない辺である側辺（折り目）２０１と外側壁部３１のうち底面部１及び天頂部３２と接しない辺である側辺（折り目）２０２と、よりそれぞれ、外側壁部２１の側辺２０１から、側辺２０１から見て、側辺２０８の属する側とは反対方向に向かって延出し、また、外側壁部３１の側辺２０２から、側辺２０２から見て、側辺２０３の属する側とは反対方向に向かって延出することで、側辺２０１と２０２とを連結する部分である。つまり、折込部７１は、外側壁部２１と外側壁部３１とを折り曲げた状態において隣接することになる側辺２０１，２０２からそれぞれ、当該側辺を備える外側壁部の外側方向に向かって延出し、側辺２０１と２０２とを連結する。本実施形態において折込部７１は、折り目２０１，２０２を二辺、外縁辺４０１，４０２を二辺、として構成する四角形（本実施形態では正方形）の形状から、切除部８１、外側切除部８５の部分を切除した形状をしている。また、上述したように、外側壁部２１と折り目２０１を境にして接しており、外側壁部３１と折り目２０２を境にして接している。折込部７２，７３，７４も同様に設けられている。
【００５１】
なお、折込部７１は、上述した外側壁部３１の側辺と相互に隣接することになる側辺の一部と、上述した外側壁部２１の側辺と上述したように相互に隣接することになる外側壁部３１の側辺の一部と、よりそれぞれ延出し、当該隣接する側辺同士を連結する部分であっても構わない。
【００５２】
そして、折込部７１には上述したように、切除部８１及び外側切除部８５という切除されている部分がある。折込部７２，７３，７４も同様に、それぞれ切除部８２，８３，８４及び外側切除部８６，８７，８８という切除されている部分がある。図５乃至図７において、切除部８１及び外側切除部８５、つまり切除されている部分は、斜線で表されている。
【００５３】
切除部８１は具体的には、図５で示すように、折込部７１と外側壁部２１との境である折り目２０１と折込部７１と外側壁部３１との境である折り目２０２との交点５０１より、折り目２０１，２０２の間に向かって、折込部７１を切除する部分である。切除部８１を設けることで、段ボールトレイを組み立てる際に折込部７１を折り曲げる部分のうち、折り曲げる際に密接するため折り曲げにくくなる部分を切除することになる。そのため、折り曲げにくさが解消され、効率的に折り曲げることが可能になる。
【００５４】
本実施形態では、切除部８１は、折り目２０１及び２０２上に位置する二辺と、当該二辺に平行な二辺とにより形成される。つまり、折り目２０１及び２０２の交点５０１から四角形に切除されている部分であり、特に本実施形態では、正方形に切除されている。上述した正方形は、１つの頂点が折り目２０１，２０２の交点５０１上に位置しており、２つの頂点が折り目２０１，２０２上にそれぞれ位置している。また、４つ目の頂点は、段ボールトレイを組み立てる際に折込部７１を折り曲げる箇所である、折り目２１１（の延長）上（交点５０３）に位置している。切除部８２，８３，８４も同様の構成である。この構成と、後述する外側切除部の構成、及び後述する折り目の設け方により、折込部７１を折り曲げた際に、外側壁部２１側の折込部７１と外側壁部３１の側の折込部７１との間の偏りを防止することが出来る。そのため、折込部７１を折り曲げた際に、極端に小さい部分などができず、強度の向上をはかることが可能になる。
【００５５】
外側切除部８５は、外側壁部２１の側辺である折り目２０１及び外側壁部３１の側辺である折り目２０２と、接しない部分を切除することにより設けられる。つまり、外側切除部８５は、折り目７１の外縁を切除する部分である。本実施形態においては、切除部８１を切除する前の折込部７１の形状である正方形のうち、上述した切除部８１が位置する折り目２０１，２０２の交点５０１の、対角上に位置する交点である折込部７１の外縁部、つまり外縁辺４０１，４０２の交点５０２、から外縁辺４０１，４０２の間に向かって一定範囲切除することで設けられる。また、本実施形態においては、外側切除部８５も切除部８１と同様に、四角形（本実施形態においては正方形）に切除する。つまり、外側切除部８５の形状である正方形は、１つ目の頂点が、切除前の折込部７１の形状である正方形のうち、折り目２０１，２０２の交点と対角に位置する交点５０２上に位置している。また、２つ目、３つ目の頂点がそれぞれ、外縁辺４０１，４０２上に位置している。４つ目の頂点は、段ボールトレイを組み立てる際に折込部７１を折り曲げる箇所である、折り目２１１（の延長）上（交点５０４）に位置している。外側切除部８６，８７，８８も同様に設けられる。
【００５６】
ここで、折込部７１を実際に折り曲げる、つまり、折り目２１１を折り曲げる際には、当該折り目２１１のうち折込部７１の外縁に近い箇所、つまり本実施形態の外側切除部８５に該当する箇所も折り曲げにくくなる部分である。そのため、各折込部の各外側切除部も切除することで、折り曲げにくい箇所を折り曲げる必要がなくなるため、より効率的な折り曲げが可能になる。以上のように各外側切除部を設けることで、各折込部の外縁から、切除部方向に向かって凹む凹部を形成している。なお、本発明は必ずしも、凹部を設ける必要はない。また、凹部を設けるとしても、その設け方は上述した方法に限定されない。例えば予め凹部の形成されている形状の段ボールシートを利用するなど、何らかの手段で凹部を形成していればよい。
【００５７】
また、上述したように切除部８１及び外側切除部８５を四角形（正方形）に設け、その正方形を構成する頂点の一つを折り目２１１上に設けることで、切除部８１及び外側切除部８５の折込部７１の内側の頂点間の距離が短くなる。つまり、当該切除部８１及び外側切除部８５の折込部７１の内側の頂点間を折込部７１の折り目とすることで、折り曲げる必要のある長さが短くなるため、より容易に効率的に折り曲げることが可能になる。
【００５８】
なお、各折込部に設けられる各切除部及び各外側切除部の形状は、必ずしも本実施形態の形状に限定されない。例えば図６で示すように、折り目２１１上（５０３）と折り目２０１，２０２の交点上（５０１）に頂点を備える三角形の形状に切除しても構わない。この場合、図６で示すように、折り目２１１を境にして外側壁部２１側と外側壁部３１側とに分けて、切除部８１（交点５０１と５０３を備える。もう一つの交点は、側辺２０２上に備える）及び外側切除部８５（交点５０２と５０４を備える。もう一つの交点は、外縁辺４０１上に備える）を設けてもよいし、同じ方向（例えば外側壁部２１側）に切除部８１、外側切除部８５（交点５０２と交点５０４を備える。もう一つの交点は、外縁辺４０２上に備える）を設けても構わない。この場合、切除部８１は、交点５０１と５０３を備え、もう一つの交点を側辺２０１上に備える形状であっても構わない。また、図７で示すように、折り目２０１，２０２の交点５０１上に頂点を備える扇形に切除部８１及び外側切除部８５（交点５０２）を設けても構わない。切除部８１は、折込部７１で連結される外側壁部２１，３１と底面部１との交点５０１から、外側壁部２１，３１の間に向かって切除されていればよい。また、外側切除部８５も、折り目２１１上に位置する折込部８５の外縁辺の交点５０２から、切除部８１方向に向かって切除されていればよい。
【００５９】
この場合、例えば図６で示す線対象の三角形の形状に各切除部及び各外側切除部を切除した場合においても、上述した各切除部及び各外側切除部を四角形に設けた場合と同様に、切除部８１及び外側切除部８５の折込部７１の内側の頂点間の距離が短くなる。そのため、例えば図６で示す場合であっても、当該切除部８１及び外側切除部８５の折込部７１の内側の頂点間を折込部７１の折り目とすることで、折り曲げる必要のある長さを短くすることが可能になる。その結果、より容易に効率的に折り曲げることができる。
【００６０】
次に、図８〜１０を用いて、本実施形態の段ボールシートを段ボールトレイに組み立てる際の流れを説明する。
【００６１】
（流れ）
まず、図８で示すように、各折込部の折り目２１１，２１２，２１３，２１４（図３を参照）をそれぞれ山折りにしつつ各折込部を起こす。同時に、側壁部２，３，４，５も、折り目１０１，１０２，１０３，１０４に沿って谷折りにすることで、立ち上がらせる。各折込部を起こすことで各側壁部は各折込部に連動して立ち上がってくる。そのため、各側壁部には特に力を加えなくても構わない。
【００６２】
この際に、各折込部の折り曲げにくい箇所にはそれぞれ切除部８１，８２，８３，８４、外側切除部８５，８６，８７，８８が設けられている。そのため、折り曲げた際に密接することになる部分が予め切除されていることになり、余計な力を必要とせず容易に各折込部を折り曲げることが可能である。
【００６３】
次に、図９で示すように、天頂部３２，５２を形成しつつ側壁部３，５を当該段ボールシートの内側へと畳み込む。上述した動作により、側壁部３，５の外側壁部３１，５１と内側壁部３３，５３とで外側壁と内側壁を形成する。ここで、内側壁部３３，５３にそれぞれ設けられた各係止片をそのままにすると、側壁部３，５を畳み込む際に、各係止片が対応する各折込部や外側壁部２１、４１に干渉することになる。そのため、各係止片を折り目３０１，３０２，３０３，３０４で山折りをしつつ、側壁部３，５を段ボールシートの内側へと畳み込むことになる。
【００６４】
上述した動作により、図９で示すように、各係止片と外側壁２１，４１とで対応する各折込部を挟み込む形になる。そこで次に、側壁部２，４を当該段ボールシートの内側へと畳み込む。その際に、上述したように畳みこむことで形成される、外側壁部２１，４１と内側壁部２３，４３とで、上述した各折込部と各係止片とを挟み込む。これにより、側壁部３と５が固定される。
【００６５】
そして、側壁部２，４を畳み込むことで形成された内側壁部２３、４３が備える各ロック片を各係止片と底面部１との間に設けられた隙間に差し込むことで、内側壁部２３，４３を段ボールトレイ内部で固定する。具体的には、内側壁部２３に設けられたロック片２５を、内側壁部３３に設けられた係止片３４及び底面部１との間に設けられた隙間に挿入する。上述したように、係止片３４及び底面部１との間の隙間は、切り込みを入れることで設けられている。同様に、ロック片２４を係止片５４と底面部１との間に設けられた隙間に、ロック片４４を係止片３５と底面部１との間に設けられた隙間に、ロック片４５を係止片５５と底面部１との間に設けられた隙間に差し込む。これにより、側壁部２と５も固定され、段ボールトレイが組み立てられる。
【００６６】
最後に、仕切り部６０は、段ボールトレイの内部で仕切り部６０の一方の端辺が内側壁部４３と接するように折り曲げる。これにより、段ボールトレイの内部の空間が仕切られ、小物を整理して入れることができるようになる。
【００６７】
上述したように各折込部に切除部及び外側切除部を設けることにより、手間をかけることなく各折込部を折ることが出来るようになり、容易に段ボールトレイを組み立てることが可能になる。また、上述したように段ボールシートを組み立てることで、図１０で示すような衝撃吸収性に優れた段ボールトレイを、容易に組み立てることができる。
【００６８】
＜実施形態２＞
次に、本発明の第２の実施形態を、図１１，１２（ａ）（ｂ）を用いて説明する。
【００６９】
（構成）
本実施形態における段ボールシートの構成は、第一の実施形態と同様の構成を有する。つまり、底面部１（平板部）と、側壁部２，３，４，５と、仕切り部６０と、折込部７１，７２，７３，７４とを備え、また、各ロック片、各係止片が各内側壁部に設けられている。
【００７０】
そして、底面部１には、図１１で示すように、折り目１０２、１０４に沿うようにガイドピンを挿入するための穴であるガイドピン挿入用の穴（ガイドピンを挿入する挿入用の穴）が２つずつ設けられている（９１，９２，９３，９４）。なお、本実施形態におけるガイドピン挿入用の穴は、必ずしも２つに限定されない。１つでも構わないし、３つ、それ以上でも構わない。
【００７１】
ガイドピン挿入用の穴は上述したように、折り目１０２に沿うように２つ設けられている。また、折り目１０４に沿うように２つ設けられている。そして、ガイドピン挿入用の穴の形状は、それぞれ四角形である。具体的には、折り目１０２に沿うように設けられているガイドピン挿入用の穴は、一辺が折り目１０２上に位置するように底面部１上に設けられており、長方形の形状をしている。また、折り目１０４に沿うように設けられているガイドピン挿入用の穴は、一辺が折り目１０４上に位置するように底面部１上に設けられており、長方形の形状をしている。また、ガイドピン挿入用の穴のうちその折り目１０２、１０４方向の長さは折り目１０２、１０４の一定の範囲を占める長さである。一方で、折り目１０１、１０３方向の長さは、それぞれ天頂部３２，５２の各側壁の厚さとなる方向の長さよりも短くなっている。これは後述するように、ガイドピン挿入用の穴からガイドピンを挿入して側壁部３，５を折り曲げる補助をする際に、ガイドピン挿入用の穴から挿入されるガイドピンの厚さが天頂部３，５の厚さよりも厚くならないようにするためである。
【００７２】
なお、必ずしもガイドピン挿入用の穴の形状は長方形（四角形）である必要はない。例えば、折り目１０２、１０４に接する円形の穴であっても構わない。側壁部３，５を折り曲げる際に、ガイドする役割を持つガイドピンを挿入可能であれば、特にその形状は限定されない。
【００７３】
（流れ）
本実施形態における段ボールシートを段ボールトレイに組み立てる際の流れも、第一の実施形態とほぼ同様である。
【００７４】
まず、各折込部を折りつつ起こすことで、各側壁部も立ち上がらせる。
【００７５】
この際には、上述したように折り目が設けられているため、より容易に折込部を折り曲げることができる。
【００７６】
次に、側壁部３，５を当該段ボールシートの内側へと折り畳む。この際に、図１２で示すように、上述した各ガイドピン挿入用の穴にそれぞれガイドピンを底面部１の裏側より差し込む。そして、当該段ボールシートの内側方向へ倒れこむ力を加えることで、側壁部３，５を当該段ボールシートの内側へと折り畳む。
【００７７】
上述したように力を加えることにより、側壁部３，５は当該段ボールシートの内側へと押されるが、図１２（ａ）で示すように、側壁部３，５のうちガイドピンが挿入されている部分は、ガイドピンが支えとなるため内側へと倒れこまない。一方で、側壁部３，５のうち、ガイドピンの高さよりも上方の部分（天頂部３２，５２と内側壁部３３，５３に該当する部分）は、図１２（ｂ）で示すように、上述したガイドピンを包み込むように、内側へと畳みこまれることになる。そのため、各天頂部３２，５２が形成され、また、各内側壁部３３，５３が形成される。
【００７８】
なお、上述したように、ガイドピン挿入用の穴のうち折り目１０１、１０３方向の長さは、それぞれ天頂部３２，５２の各側壁の厚さとなる方向の長さよりも短くなっている。そのため、ガイドピン挿入用の穴より挿入されるガイドピンも天頂部３２，５２の各側壁の厚さとなる方向の長さよりも短くなる。これにより、天頂部３２，５２により設けられる各側壁の厚さを不必要に厚くすることなく、各側壁部を折り畳むことが可能となる。
【００７９】
そして、側壁部２，４を内側へと折り畳み固定することで、段ボールトレイを組み立てる。この際には、上述したように、内側壁部２３，４３の長さは天頂部３２，５２の厚さ分短くなっているため、ガイドピンを挿入したままであっても、側壁部２，４を問題なく折り畳むことができる。
【００８０】
最後にガイドピン挿入用の穴に挿入されているガイドピンを抜くことで、段ボールトレイが組み立てられる。なお、ここでは最後にガイドピンを抜くこととしたが、必ずしも最後である必要はなく、側壁部３，５を折り畳んだ時点でガイドピンを抜いてしまっても構わない。
【００８１】
上述したようにガイドピン挿入用の穴を設け、組み立てる際にガイドピンを挿入して、ガイドピンを利用して側壁部を折り曲げることにより、より容易に効率的に段ボールトレイを組み立てることが出来るようになる。また、上述したように折り目を設けることで、さらに容易に段ボールトレイを組み立てることが出来るようにする。
【００８２】
また、上述した構成にしたことで、機械を用いて容易に大量に段ボールトレイを組み立てることも出来るようになる。
【００８３】
まず、各折込部を折り曲げることになるが、各折込部にはそれぞれ切除部を設けている。そのため、余計な力を必要とせずに容易に各折込部を折り曲げることができ、力の調整を必要とせず機械的に折り曲げることができる。
【００８４】
次に、側壁部３，５を当該段ボールシートの内側へ折り畳む際には、上述したようにガイドピン挿入用の穴から挿入したガイドピンが支えになる。そのため上述したように、ガイドピンを挿入することで段ボールトレイの内側へ折り畳む力を加えるだけで天頂部３２，５２を形成し、また、内側壁部３３，５３を形成することが出来るよう。また、内側壁部２３、４３を形成する際には、先に組み立てられた側壁部３，５が支えとなるため、特にガイドピンは必要としなくても、それぞれの側壁部２，４を天頂部２２，４２、内側壁部２３、４３と折ることが可能である。
【００８５】
そして、内側壁部２３、４３を押し込むことで、内側壁部２３，４３に設けられた各ロック片が、対応する各係止片と底面部１との間に設けられた隙間に差し込まれる。これにより、内側壁部２３，４３が段ボールトレイの中で固定される。つまり、段ボールトレイが組み立てられることになる。
【００８６】
以上のように、各折込部に切除部を設け、底面部１にガイドピン挿入用の穴を設け組み立て時にガイドピンを挿入することで、機械を用いて段ボールトレイを組み立てることが可能になり、より効率的に大量に段ボールトレイを組み立てることが可能になる。
【００８７】
＜付記＞
上記実施形態の一部又は全部は、以下の付記のようにも記載されうる。以下、本発明における段ボールトレイの概略を説明する。但し、本発明は、以下の構成に限定されない。
【００８８】
（付記１）
組み立て式箱用の用紙であって、
組み立てられることで箱の一面を形成する平面部と、
当該平面部の周囲から延出し、当該平面部に対して折り曲げることで前記箱の側壁を形成する複数の側壁部と、を備え、
前記複数の側壁部のうち、前記平面部に対して折り曲げた状態において前記側壁部の側辺が相互に隣接する一対の前記側壁部は、当該一対の側壁部の隣接する各側辺よりそれぞれ延出し、当該隣接する側壁部の各側辺同士を連結する折込部を備え、
前記折込部は、当該折込部で連結される前記隣接する一対の側壁部と前記平面部との交点から、前記隣接する一対の側壁部の各側辺の間に向かって広がる切除部、を備える、
組み立て式箱用の用紙。
【００８９】
この構成によると、段ボールシートを折り曲げて段ボールトレイを組み立てる際に折り曲げることになる折込片の部分のうち、密接することにより折り曲げにくくなる部分である、折込片と接する各外側壁部の側辺が直交する箇所、つまり、組み立てた際に底面側になる角の部分は、各側辺の間に向かって所定の広さ切除されていることになる。そのため、より容易に折込片を折り曲げることが可能になるため、折込片を折り曲げる際に手間をかけずに折り曲げることが可能になり、段ボールトレイも手間をかけることなく組み立てることが可能になる。
【００９０】
（付記２）
付記１に記載の組み立て式箱用の用紙であって、
前記切除部は、前記折込部のうち、前記組み立て式箱を組み立てる際に折り曲げられる折り曲げ線の延長を含むよう形成される、
組み立て式箱用の用紙。
【００９１】
この構成によると、段ボールシートを折り曲げて段ボールトレイを組み立てる際に折り曲げることになる部分をより含んで切除することになる。そのため、より容易に折込片を折り曲げることが可能になる。
【００９２】
（付記３）
付記２に記載の組み立て式箱用の用紙であって、
前記切除部は、当該切除部の周囲の一部が、前記隣接する一対の側壁部の側辺上に位置するよう形成される、
組み立て式箱用の用紙。
【００９３】
この構成によると、段ボールシートを折り曲げて段ボールトレイを組み立てる際に折り曲げることになる部分のうち、密接することになる部分をより含んで切除することになる。そのため、より容易に折込片を折り曲げることが可能になる。
【００９４】
（付記４）
付記３に記載の組み立て式箱用の用紙であって、
前記切除部は、当該切除部の周囲の辺を構成する一組の辺が交わる交点を、前記隣接する一対の側壁部の各側辺の間に備え、
前記切除部の周囲の一組の辺が交わる交点は、前記組み立て式箱を組み立てる際に折り曲げられる箇所上に形成されている、
組み立て式箱用の用紙。
【００９５】
この構成によると、段ボールシートを折り曲げて段ボールトレイを組み立てる際に折り曲げることになる部分の上に切除される頂点があることになる。これにより、不必要に折込部を切除することによる折込部の強度の減少を防ぎつつ、効率的に切除部を設けることが可能になる。
【００９６】
（付記５）
付記１乃至４に記載の組み立て式箱用の用紙であって、
前記切除部は、四角形に形成されており、
前記四角形は、当該四角形を構成する４辺のうちの２辺が前記隣接する一対の側壁部の側辺上に位置する、
組み立て式箱用の用紙。
【００９７】
この構成によると、折込部に四角形の切除部が設けられることになる。これにより、折込部の強度の減少をより防ぎつつ、より効率的に切除部を設けることが可能になる。
【００９８】
（付記６）
付記１乃至５に記載の組み立て式箱用の用紙であって、
前記折込部は、
前記折込部のうち前記組み立て式箱を組み立てる際に折り曲げられることになる箇所に位置する前記折込部の外縁から、前記切除部方向に向かって凹む凹部を設けた、
組み立て式箱用の用紙。
【００９９】
この構成によると、段ボールシートを折り曲げて段ボールトレイを組み立てる際に折り曲げることになる部分のうち、切除部と共に折込部の外縁からも凹む（例えば切除により）ことになる。これにより、段ボールシートを折り曲げて段ボールトレイを組み立てる際に折り曲げることになる部分のうち折り曲げにくい部分をより切除することができ、より手間をかけずに容易に折込片を折ることが可能になる。
【０１００】
（付記７）
付記６に記載の組み立て式箱用の用紙であって、
前記凹部は、当該凹部の周囲の辺を構成する一組の辺が交わる凹部交点を、前記隣接する一対の側壁部の各側辺の間に備え、
前記凹部交点は、前記組み立て式箱を組み立てる際に折り曲げられる箇所上に形成されている、
組み立て式箱用の用紙。
【０１０１】
この構成によると、折込部の外縁から、前記切除部方向に向かって凹む凹部の周囲の辺を構成する一組の辺が交わる凹部交点を、前記隣接する一対の側壁部の各側辺の間に備え、前記凹部交点は、前記組み立て式箱を組み立てる際に折り曲げられる箇所上に形成されていることになる。これにより、不必要に折込部を切除することによる折込部の強度の減少を防ぎつつ、より効率的に折り曲げることが出来るようにしている。
【０１０２】
（付記８）
付記１乃至７に記載の組み立て式箱用の用紙であって、
前記折込部に形成されている、前記組み立て式箱を組み立てる際に折り曲げられる箇所は、
前記切除部の周囲から前記折込部の外縁までの長さが最も短くなるよう設けられた、
組み立て式箱用の用紙。
【０１０３】
この構成によると、段ボールシートを折り曲げて段ボールトレイを組み立てる際に折込部を折り曲げなければならない長さが、最も短くなる。そのため、より容易に折込部を折り曲げることが可能になり、より容易に組み立て式箱を組み立てることが可能になる。
【０１０４】
（付記９）
付記１乃至８に記載の組み立て式箱用の用紙であって、
前記組み立て式箱用の用紙を組み立てて組み立て式箱を組み立てる際に、当該組み立て式箱用の用紙のうち折り曲げられることになる部分に折り目を設け、
前記折り目のうち前記折込部に設けられる折り目は、破線状の切込みを設けることで形成し、
前記折込部に設けられる折り目以外の折り目は、当該折り目部分の厚さを、当該折り目以外の部分の用紙の厚さより薄くすることで形成した、
組み立て式箱用の用紙。
【０１０５】
この構成によると、組み立て式箱用の用紙に設ける折り目のうち折込部に設けられる折り目は破線状の切込みをすることで設けられ、それ以外の折り目は用紙の厚さを調整することで設けられる。これにより、どちらに折る場合でもより容易に折り曲げることが可能になる。
【０１０６】
（付記１０）
付記９に記載の組み立て式箱用の用紙であって、
前記折り目のうち、前記組み立て式箱を組み立てる際に谷折りをする折り目は、一方向から押圧することで、前記谷折りをする際に内側になる箇所に凹部を設けて形成し、
前記折り目のうち、前記組み立て式箱を組み立てる際に山折りをする折り目は、破線状の切込みを設けて形成した、
組み立て式箱用の用紙。
【０１０７】
この構成によると、山折りする折り目と谷折りする折り目とを、同一方向から分けて形成することが可能になる。これにより、山折りの際に折り曲げやすい折り目も谷折りの際に折り曲げやすい折り目も、同一方向から形成することが出来る。
【０１０８】
（付記１１）
付記１乃至１０に記載の組み立て式箱用の用紙であって、
前記平面部上に位置し、前記組み立て式箱を組み立てる際に折り曲げられる箇所に隣接する箇所に、前記側壁部を折り曲げて組み立てる際に当該側壁部の折り曲げを支持するガイドピンを挿入する挿入用の穴を設けた、
組み立て式箱用の用紙。
【０１０９】
この構成によると、組み立て式箱を組み立てる際にガイドピンを挿入することで、側壁部を折り曲げる際の支えとすることが出来るようになる。これにより、より容易に効率的に側壁部を折り曲げることが出来るようになる。その結果、より容易に効率的に組み立て式箱を組み立てることが出来るようになる。
【０１１０】
（付記１２）
付記１乃至１１に記載の組み立て式箱用の用紙を、
前記組み立て式箱を組み立てる際に折り曲げられることになる箇所に応じて折り曲げることで、前記組み立て式箱用の用紙を組み立てた、
組み立て式箱。
【０１１１】
（付記１３）
組み立て式箱用の用紙であって、
組み立てられることで箱の一面を形成する平面部と、
当該平面部の周囲から延出し、当該平面部に対して折り曲げることで前記箱の側壁を形成する複数の側壁部と、を備え、
前記複数の側壁部のうち、前記平面部に対して折り曲げられた際に前記側壁部の側辺が相互に隣接する一対の前記側壁部は、当該一対の側壁部の隣接する各側辺よりそれぞれ延出し、当該隣接する側壁部の各側辺同士を連結する折込部を備え、
前記折込部は、当該折込部で連結される前記隣接する一対の側壁部と前記平面部との交点から、前記隣接する一対の側壁部の各側辺の間に向かって広がる切除部、を備え、
前記組み立て式箱用の用紙を組み立てて組み立て式箱を組み立てる際に、当該組み立て式箱用の用紙のうち折り曲げられることになる部分に折り目を設け、
前記折り目のうち前記折込部に設けられる折り目は、破線状の切込みを設けることで形成し、
前記折込部に設けられる折り目以外の折り目は、当該折り目部分の厚さを、当該折り目以外の部分の用紙の厚さより薄くすることで形成した、
組み立て式箱用の用紙。
【０１１２】
（付記１４）
組み立て式箱用の用紙であって、
組み立てられることで箱の一面を形成する平面部と、
当該平面部の周囲から延出し、当該平面部に対して折り曲げることで前記箱の側壁を形成する複数の側壁部と、を備え、
前記複数の側壁部のうち、前記平面部に対して折り曲げられた際に前記側壁部の側辺が相互に隣接する一対の前記側壁部は、当該一対の側壁部の隣接する各側辺よりそれぞれ延出し、当該隣接する側壁部の各側辺同士を連結する折込部を備え、
前記折込部は、当該折込部で連結される前記隣接する一対の側壁部と前記平面部との交点から、前記隣接する一対の側壁部の各側辺の間に向かって広がる切除部、を備え、
前記平面部上に位置し、前記組み立て式箱を組み立てる際に折り曲げられる箇所に隣接する箇所に、前記側壁部を折り曲げて組み立てる際に当該側壁部の折り曲げを支持するガイドピンを挿入する挿入用の穴を設けた、
組み立て式箱用の用紙。
【符号の説明】
【０１１３】
１  底面部
２，３，４，５  側壁部
２１，３１，４１，５１  外側壁部
２２，３２，４２，５２  天頂部
２３，３３，４３，５３  内側壁部
２４，２５，４４，４５  ロック片
３４，３５，５４，５５  係止片
６０  仕切り部
７１，７２，７３，７４  折込部
８１，８２，８３，８４  切除部
８５，８６，８７，８８  外側切除部
９１，９２，９３，９４  ガイドピンを挿入する挿入用の穴
１０１〜１０４  折り目
１１１〜１１４  折り目
１２１〜１２４  折り目
２０１〜２０８  折り目
２１１〜２１４  折り目
３０１〜３０４  折り目
３１１〜３１３  折り目
４０１〜４０２  外縁辺
５０１〜５０４  交点
【図１】
2014234205.tif 000003
【図２】
2014234205.tif 000004
【図３】
2014234205.tif 000005
【図４】
2014234205.tif 000006
【図５】
2014234205.tif 000007
【図６】
2014234205.tif 000008
【図７】
2014234205.tif 000009
【図８】
2014234205.tif 000010
【図９】
2014234205.tif 000011
【図１０】
2014234205.tif 000012
【図１１】
2014234205.tif 000013
【図１２】
2014234205.tif 000014